【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
ａ）少なくとも１つは透明である、頂部側電極層及び底部側電極層；
ｂ）溶媒中に分散された、帯電し及び磁性を有する粒子が充填されたセルのアレイ；及び
ｃ）少なくとも１つの磁性層
を有してなる電気磁気泳動ディスプレイ。
【請求項２】
伝統的な上下切り替えスイッチング・モードを有しており、１つの磁性層は切り替え可能で、底部側電極層に配されている請求項１記載のディスプレイ。
【請求項３】
伝統的な上下切り替えスイッチング・モード及び２つの磁性層を有する請求項１記載のディスプレイ。
【請求項４】
前記１つの磁性層は頂部側電極層に配されており、他方の磁性層は底部側電極層に配されている請求項３記載のディスプレイ。
【請求項５】
両方の磁性層が切り替え可能である請求項４記載のディスプレイ。
【請求項６】
頂部側磁性層は永久的であり、底部側磁性層は切り替え可能である請求項４記載のディスプレイ。
【請求項７】
両方の磁性層が永久的である請求項４記載のディスプレイ。
【請求項８】
デュアル・スイッチングモードを有しており、底部側電極層は中央電極及び２つの両側電極を有する請求項１記載のディスプレイ。
【請求項９】
デュアル・スイッチングモードを有しており、１つの磁性層は切り替え可能であって、底部側電極層に配されている請求項８記載のディスプレイ。
【請求項１０】
デュアル・スイッチングモード及び２つの磁性層を有する請求項８記載のディスプレイ。
【請求項１１】
前記１つの磁性層は頂部側電極層に配されており、他方の磁性層は底部側電極層に配されている請求項１０記載のディスプレイ。
【請求項１２】
両方の磁性層が切り替え可能である請求項１１記載のディスプレイ。
【請求項１３】
頂部側磁性層は永久的であり、底部側磁性層は切り替え可能である請求項１１記載のディスプレイ。
【請求項１４】
両方の磁性層が永久的である請求項１１記載のディスプレイ。
【請求項１５】
前記帯電し磁性を有する粒子は白色であって、黒色又は着色された溶媒中に分散されている請求項１記載のディスプレイ。
【請求項１６】
前記粒子は、クリヤーで無色の溶媒中の、黒色粒子と白色又は他の色を有する粒子との混合物であって、前記黒色粒子は帯電し磁性を有しており、前記白色又は他の色を有する粒子は帯電もしておらず磁性も有していない請求項１記載のディスプレイ。
【請求項１７】
前記粒子は、クリヤーで無色の溶媒中の、黒色粒子と白色又は他の色を有する粒子との混合物であって、前記黒色粒子は帯電し磁性を有しており、前記白色又は他の色を有する粒子は磁性を有していないが、黒色粒子と反対の電荷に帯電している請求項１記載のディスプレイ。
【請求項１８】
前記粒子はクリヤーで無色の溶媒中の白色又は他の色を有する粒子と黒色粒子との混合物であって、前記黒色粒子は帯電し磁性を有しており、前記白色又は他の色を有する粒子は磁性を有していないが、黒色粒子と同じ電荷であって、異なるレベルに帯電している請求項１記載のディスプレイ。
【請求項１９】
少なくとも１つの磁性層は磁界を生成する請求項１記載のディスプレイ。
【請求項２０】
前記磁界の強度は粒子のしきい値効果及びその電極層に印加される駆動電圧によって決まる請求項１９記載のディスプレイ。
【請求項２１】
磁性粒子は、常磁性、強磁性、反強磁性又はフェリ磁性粒子である請求項１記載のディスプレイ。
【請求項２２】
磁性粒子は、ガンマ酸化鉄、針状マグネタイト、コバルト変性又は吸着酸化鉄、ベルトライド酸化鉄、二酸化クロム、金属若しくは合金及び有機ポリラジカルからなる群から選ばれる材料によって形成されている請求項１記載のディスプレイ。
【請求項２３】
前記金属又は合金は、ステンレス鋼、Ｆｅ−Ｃｏ合金、Ｆｅ−Ｎｉ合金、Ｆｅ−Ｃｏ−Ｎｉ合金、Ｃｏ−Ｎｉ合金、Ｃｏ−Ｃｒ合金、又はＦｅ−Ｃｏ−Ｖ合金である請求項２２記載のディスプレイ。
【請求項２４】
前記有機ポリラジカルは、側鎖に有機ラジカルを有し、主鎖は有機ラジカル、二次元ポリラジカルと共役されたポリマーであるポリマー、側鎖として常磁性メタロポルフィリンを有するポリマー及び主鎖に常磁性金属イオンを有するポリマーからなる群から選ばれる請求項２２記載のディスプレイ。
【請求項２５】
常磁性金属イオンは、Ｃｕ（II）、Ｎｉ（II）、Ｍｎ（II）又はＶＯ（II）である請求項２４記載のディスプレイ。
【請求項２６】
磁性粒子は、磁性シェルによってマイクロカプセル化され又はオーバーコートされることによって磁性化された粒子である請求項１記載のディスプレイ。
【請求項２７】
前記磁性シェルは、ガンマ酸化鉄、針状マグネタイト、コバルト変性又は吸着酸化鉄、ベルトライド酸化鉄、二酸化クロム、金属若しくは合金及び有機ポリラジカルからなる群から選ばれる材料によって形成される請求項２６記載のディスプレイ。
【請求項２８】
前記有機ポリラジカルは、側鎖に有機ラジカルを有し、主鎖は有機ラジカル、二次元ポリラジカルと共役されたポリマーであるポリマー、側鎖として常磁性メタロポルフィリンを有するポリマー及び主鎖に常磁性金属イオンを有するポリマーからなる群から選ばれる請求項２７記載のディスプレイ。
【請求項２９】
前記金属又は合金は、Ｎｉ、Ｃｕ、Ｃｏ、Ｆｅ、Ｃｒ、Ｆｅ−Ｃｏ合金、Ｆｅ−Ｎｉ合金、Ｆｅ−Ｃｏ−Ｎｉ合金、Ｃｏ−Ｎｉ合金、Ｃｏ−Ｃｒ合金及びＦｅ−Ｃｏ−Ｖ合金からなる群から選ばれる請求項２８記載のディスプレイ。
【請求項３０】
前記金属又は合金シェルは、スパッタリング、真空蒸着、電着、電気メッキ又は無電解メッキによって粒子上にコートされる請求項２９記載のディスプレイ。
【請求項３１】
磁性シェルは、マイクロカプセル化プロセスによって粒子上にコートされた磁性ポリマーシェルである請求項２６記載のディスプレイ。
【請求項３２】
前記磁性ポリマーは、側鎖に有機ラジカルを有し、主鎖は有機ラジカル、二次元ポリラジカルと共役されたポリマーであるポリマー、側鎖として常磁性メタロポルフィリンを有するポリマー及び主鎖に常磁性金属イオンを有するポリマーからなる群から選ばれるポリマーから形成されている請求項３１記載のディスプレイ。
【請求項３３】
常磁性金属イオンは、Ｃｕ（II）、Ｎｉ（II）、Ｍｎ（II）又はＶＯ（II）である請求項３２記載のディスプレイ。
【請求項３４】
マイクロカプセル化プロセスは、層分離、単純コアセルベーション、複合コアセルベーション、界面重合又は架橋、その場で(in-situ)の重合又は架橋、層分離、噴霧乾燥、流動床乾燥、オリフィス又は液体中での硬化（キュアリング）又は硬質化（ハードニング）である請求項３１記載のディスプレイ。
【請求項３５】
磁性粒子はポリマーマトリクス中に分散された磁性材料を含むマイクロカプセルである請求項１記載のディスプレイ。
【請求項３６】
前記マイクロカプセルは顔料又は染料を更に含む請求項３５記載のディスプレイ。
【請求項３７】
前記顔料は白色ＴｉＯ２又はＺｎＯである請求項３６記載のディスプレイ。
【請求項３８】
前記顔料は着色されている請求項３６記載のディスプレイ。
【請求項３９】
前記磁性粒子は着色されているか又は黒色である請求項１記載のディスプレイ。
【請求項４０】
前記黒色の磁性粒子は、ガンマ酸化鉄、針状マグネタイト、コバルト変性又は吸着酸化鉄、ベルトライド酸化鉄又は二酸化クロムからなる群から選ばれる材料によって形成されている請求項３９記載のディスプレイ。